(57)【要約】      （修正有）【課題】発光ＬＥＤが点滅するコンパクトな構成のＬＥＤ点滅釣り用おもりを提供する。【解決手段】下部おもり２と円筒状収納部３と電池５と複数ＬＥＤ４と電源開閉スイッチ６と糸取り付けフック７とで構成する。下部おもり２は上面円形で下方に突出した形状とし、円筒状収納部３は下部おもり２と同じ外径で透明樹脂で形成する。電池５は円筒状収納部３に納まるボタン状とする。複数ＬＥＤ４には自己点滅回路内蔵の２本足砲弾型ＬＥＤを使用し、光軸を外方に向け等間隔放射状に配置して円筒状収納部３に納まる大きさとする。各ＬＥＤの足を並列接続し＋側、−側電源接続端とする。＋側は電池下面の＋側電極に接続し、−側と電池−側電極間には電源開閉スイッチ６を設ける。円筒状収納部３の内側上部に下側から複数ＬＥＤ４、電池５、糸取り付けフック７、電源開閉スイッチ６を配置し透明樹脂で固定する。円筒状収納部３下部を下部おもり２の上面周縁部の切欠きに嵌めて接着する。【選択図】図１
0003212378.tif 000002
【実用新案登録請求の範囲】
【請求項１】
内蔵ＬＥＤを点滅発光させるＬＥＤ点滅釣り用おもりであって、
該釣り用おもりは下部おもりと、円筒状収納部と、電池と、複数のＬＥＤと、電源開閉スイッチと、糸取り付けフックから構成され、
前記下部おもりは円形上面から下方に突出した形状の金属製で、円形上面周縁部には前記円筒状収納部が嵌まる切欠きが設けてあり、
前記円筒状収納部は前記下部おもりの円形上面と同じ外径を有する円筒形状で透明樹脂で形成されており、
前記電池は前記円筒状収納部の内径より僅かに小さい外径の円盤形状で、上下面が電極となっており、
前記複数のＬＥＤは自己点滅回路を内蔵する２本足の砲弾型ＬＥＤで、同一平面上に光軸を径方向外側に向けて等間隔放射状に配置した状態で前記円筒状収納体内に納まる大きさにされ、各ＬＥＤの足は繋いで並列接続されて＋側、−側の２個の電源接続端が形成され、前記２個の電源接続端の一方の電源接続端は前記電池の一方の電極面に電線で接続されており、
前記電源開閉スイッチは前記２個の電源接続端の他方の電源接続端と前記電池の他方の電極面との電気接続を開閉するスイッチであり、
かかる構成のもと、前記円筒状収納部の内側上部に前記電池を水平配置してその下面側に前記複数のＬＥＤを各ＬＥＤの光軸を円筒状収納部の外側に向けた状態で配置し、前記２個の電源接続端の他方の電源接続端と前記電池の他方の電極面から前記電源開閉スイッチに繋がる２本の線を上方に引き上げた状態とし、かかる状態にて電池の上面側、電池側面と円筒状収納部内面との空隙、及び電池下面と複数のＬＥＤの上面との空隙に透明樹脂を注入、固化させて電池と複数のＬＥＤを円筒状収納部内側に固定し、
続いて前記電池と複数のＬＥＤを固定させた円筒状収納体を前記下部おもりの切欠き部に嵌めた状態にして両者を接着剤又は樹脂にて固定し、
続いて電池上面側の固化した透明樹脂層上に釣り用おもり全体を釣り糸で吊り下げるための無端環状フック形状の糸取り付けフックと前記電源開閉スイッチとを載置した状態にしてそれらを接着剤又は樹脂にて透明樹脂層上に固定してあることを特徴とするＬＥＤ点滅釣り用おもり。
【請求項２】
請求項１に記載のＬＥＤ点滅釣り用おもりにおいて、前記下部おもりの円形上面表面には、前記ＬＥＤの発する光を反射する反射板が取り付けてあることを特徴とするＬＥＤ点滅釣り用おもり。
【請求項３】
請求項１又は２に記載のＬＥＤ点滅釣り用おもりにおいて、前記電源開閉スイッチは弾性を有する２本の針金で構成され、一方の電極となる一方の針金は釣り針を逆さにしたフック形状電極を構成し、他方の電極となる他方の針金は直線状電極を構成し、該直線状電極をフック形状電極に係止させた状態では直線状電極の弾性により両電極が接触した状態が維持され、前記係止を一旦開放させると直線状電極の弾性により両電極が非接触状態を維持するように構成されていることを特徴とするＬＥＤ点滅釣り用おもり。
【請求項４】
請求項３に記載のＬＥＤ点滅釣り用おもりにおいて、前記円筒状収納部の上端部の側壁間には円筒中心を通る直線状針金がその両端を側壁に埋め込んだ状態で水平に、且つ、前記電池とは非接触状態で取り付けられており、前記フック形状電極は該直線状針金に電気的に接続した状態で固定してあり、前記２個の電源接続端の他方の電源接続端は該直線状針金に電線で接続されており、前記電源開閉スイッチの他方の針金である直線状電極は前記電池に基端側が固定されており、前記水平な直線状針金周り、該直線状針金とフック形状電極との接続部、直線状針金と２個の電源接続端の他方の電源接続端からの電線との接続部、及び、電源開閉スイッチの他方の針金である直線状電極と電池との接続部は透明樹脂にて覆い固めてあることを特徴とするＬＥＤ点滅釣り用おもり。
【請求項５】
請求項１乃至４の何れかに記載のＬＥＤ点滅釣り用おもりにおいて、前記電源開閉スイッチは接近して置かれた状態の２本の針金状電極で構成され、前記釣り用おもりが水中に投入された状態では、該２本の針金状電極間に水が介在することにより２本の針金状電極間が導通して前記複数のＬＥＤに前記電池から電流が供給されるように構成されていることを特徴とするＬＥＤ点滅釣り用おもり。
【考案の詳細な説明】
【技術分野】
【０００１】
本考案は、自己点滅機能を有するＬＥＤを使用したＬＥＤ点滅釣り用おもりに関する。
【背景技術】
【０００２】
長い釣り糸の先に取り付けた釣り針で魚をつり上げる魚釣りでは、餌をつけた釣り針を水中深くに沈めるためにおもりが使用される。おもりの形状にはナス型、中通し型等、各種あり、それらは何れも鉛製である。通常、おもりは仕掛けの少し下の釣り糸に取り付けられる。魚は視覚や臭いで釣り針に付いた餌に気づいて近づく。しかし、水が濁っていたり暗かったりすると、餌を見つけることが難しくなるためか釣り果が悪くなる。対策として、おもりを発光させて魚に餌のありかを知らせる考えがある。多くの魚には光に集まる習性があることに注目した考えである。
【０００３】
発光するおもりについては各種の提案がされている。例えば、特許文献１には、底部に錘を取り付けたケーシング内に複数の発光部と制御部を収納した集魚装置が開示されている。発光部はケーシングの水平方向周胴部に先端をケーシングの外面から突出させた状態で複数個取り付けられ、制御部はオシレータ回路と歩進回路を備えて複数の発光部を順次点滅させる。ケーシングの表面には所定間隔をあけて露出した二つの電極が配置され、水中に投入されると電極間に水が介在することにより二つの電極が導通して制御部に電池から電源が供給されるように構成されている。しかし、複数の発光部を順次点滅させるオシレータ回路と歩進回路は簡単ではない。また、発光部の先端をケーシングの外面から突出させたのでは、発光部のＬＥＤ先端が傷ついたり、破損したりする心配がある。
【０００４】
また、特許文献２には、上蓋おもり部、合成樹脂製本体部、下部おもり部からなり、本体部にＬＥＤ基板を設け、該基板に複数個のＬＥＤとトランジスタからなる点滅回路とを取り付けてＬＥＤを点滅させる釣り用発光おもりが開示されている。しかし、トランジスタからなる点滅回路基板を取り付けるには大きな空間を必要とし、おもりが大型化する問題がある。
【先行技術文献】
【特許文献】
【０００５】
【特許文献１】特許第４６１７２００号公報
【特許文献２】特開２０１１−１６０７４１号公報
【考案の開示】
【考案が解決しようとする課題】
【０００６】
本考案は従来技術のこうした問題点を解決するためになされたもので、その課題は、複数の発光ＬＥＤを順次点滅させる複雑な点滅回路を使用せず、また点滅回路基板をＬＥＤの外に独立して取り付けることなしに、複数の発光ＬＥＤを点滅させて魚を寄せつけるコンパクトな構成のＬＥＤ点滅釣り用おもりを提供することにある。
【課題を解決するための手段】
【０００７】
前記課題を解決するための請求項１に記載の考案は、内蔵ＬＥＤを点滅発光させるＬＥＤ点滅釣り用おもりであって、該釣り用おもりは下部おもりと、円筒状収納部と、電池と、複数のＬＥＤと、電源開閉スイッチと、糸取り付けフックから構成され、前記下部おもりは円形上面から下方に突出した形状の金属製で、円形上面周縁部には前記円筒状収納部が嵌まる切欠きが設けてあり、前記円筒状収納部は前記下部おもりの円形上面と同じ外径を有する円筒形状で透明樹脂で形成されており、前記電池は前記円筒状収納部の内径より僅かに小さい外径の円盤形状で、上下面が電極となっており、前記複数のＬＥＤは自己点滅回路を内蔵する２本足の砲弾型ＬＥＤで、同一平面上に光軸を径方向外側に向けて等間隔放射状に配置した状態で前記円筒状収納体内に納まる大きさにされ、各ＬＥＤの足は繋いで並列接続されて＋側、−側の２個の電源接続端が形成され、前記２個の電源接続端の一方の電源接続端は前記電池の一方の電極面に電線で接続されており、前記電源開閉スイッチは前記２個の電源接続端の他方の電源接続端と前記電池の他方の電極面との電気接続を開閉するスイッチであり、かかる構成のもと、前記円筒状収納部の内側上部に前記電池を水平配置してその下面側に前記複数のＬＥＤを各ＬＥＤの光軸を円筒状収納部の外側に向けた状態で配置し、前記２個の電源接続端の他方の電源接続端と前記電池の他方の電極面から前記電源開閉スイッチに繋がる２本の線を上方に引き上げた状態とし、かかる状態にて電池の上面側、電池側面と円筒状収納部内面との空隙、及び電池下面と複数のＬＥＤの上面との空隙に透明樹脂を注入、固化させて電池と複数のＬＥＤを円筒状収納部内側に固定し、続いて前記電池と複数のＬＥＤを固定させた円筒状収納体を前記下部おもりの切欠き部に嵌めた状態にして両者を接着剤又は樹脂にて固定し、続いて電池上面側の固化した透明樹脂層上に釣り用おもり全体を釣り糸で吊り下げるための無端環状フック形状の糸取り付けフックと前記電源開閉スイッチとを載置した状態にしてそれらを接着剤又は樹脂にて透明樹脂層上に固定してあることを特徴とするＬＥＤ点滅釣り用おもりである。
【０００８】
このような構成によれば、ＬＥＤを点滅させるための複雑な駆動回路はＩＣチップ化されて砲弾型ＬＥＤの内部に収納されているため、スペースをとる複雑な駆動回路の基板をＬＥＤの外に設ける必要がない。このためＬＥＤ点滅釣り用おもりをコンパクトな形状にすることができる。また、複数のＬＥＤは透明な円筒状収納体内に収納さていて、先端が収納体の外に突出していないためＬＥＤ先端が傷つけられこともない利点を有する。
【０００９】
また、請求項２に記載の考案は、請求項１に記載のＬＥＤ点滅釣り用おもりにおいて、前記下部おもりの円形上面表面には、前記ＬＥＤの発する光を反射する反射板が取り付けてあることを特徴とするＬＥＤ点滅釣り用おもりである。
【００１０】
複数のＬＥＤの発する光には斜め下方に向かう光もある。反射板を取り付けておけば斜め下方に放射された光を円筒状収納体の外側に向かわせ、有効に活用できる利点がある。
【００１１】
また、請求項３に記載の考案は、請求項１又は２に記載のＬＥＤ点滅釣り用おもりにおいて、前記電源開閉スイッチは弾性を有する２本の針金で構成され、一方の電極となる一方の針金は釣り針を逆さにしたフック形状電極を構成し、他方の電極となる他方の針金は直線状電極を構成し、該直線状電極をフック形状電極に係止させた状態では直線状電極の弾性により両電極が接触した状態が維持され、前記係止を一旦開放させると直線状電極の弾性により両電極が非接触状態を維持するように構成されていることを特徴とするＬＥＤ点滅釣り用おもりである。
【００１２】
このような電源開閉スイッチは構造が簡単であり、おもりとして使用しないときは直線状電極とフック形状電極に係合を解除させることで複数ＬＥＤの点灯を停止させておくことができる。
【００１３】
また、請求項４に記載の考案は、請求項３に記載のＬＥＤ点滅釣り用おもりにおいて、前記糸取り付けフックは前記円筒状収納部の上端部の側壁間に円筒中心を通る直線状針金をその両端を側壁に埋め込んだ状態で水平に、且つ、前記電池とは非接触状態で取り付け、該直線状針金の中央部に逆Ｕ字状フックの両端を溶接して形成されており、前記フック形状電極は該直線状針金に電気的に接続した状態で固定してあり、前記２個の電源接続端の他方の電源接続端は該直線状針金に電線で接続されており、前記電源開閉スイッチの他方の針金である直線状電極は前記電池に基端側が固定されており、前記水平な直線状針金周り、該直線状針金とフック形状電極との接続部、直線状針金と２個の電源接続端の他方の電源接続端からの電線との接続部、及び、電源開閉スイッチの他方の針金である直線状電極と電池との接続部は透明樹脂にて覆い固めてあることを特徴とするＬＥＤ点滅釣り用おもりである。
【００１４】
このような構造によれば、糸取り付けフックはその直線状針金の両端が側壁に埋め込まれた状態になっているため糸取り付けフックに強い引っ張り力が働いても糸取り付けフックが外れることが防止される。また、電源開閉スイッチの他方の直線状電極は電池に基端側が固定され、フック形状電極の基端部も糸取り付けフックの直線状針金に固定されているため直線状電極、フック形状電極が抜け落ちることが防止される。
【００１５】
また、請求項５に記載の考案は、請求項１乃至４の何れかに記載のＬＥＤ点滅釣り用おもりにおいて、前記電源開閉スイッチは接近して置かれた状態の２本の針金状電極で構成され、前記釣り用おもりが水中に投入された状態では、該２本の針金状電極間に水が介在することにより２本の針金状電極間が導通して前記複数のＬＥＤに前記電池から電流が供給されるように構成されていることを特徴とするＬＥＤ点滅釣り用おもりである。
【００１６】
このような構成とすれば、釣り用おもりを水中に投下するとＬＥＤが自動的に点滅を開始し、水中から引き上げると自動的に点滅が停止される利点を有する。
【図面の簡単な説明】
【００１７】
【図１】本考案に係るＬＥＤ点滅釣り用おもり１の外観斜視図である。
【図２】ＬＥＤ点滅釣り用おもり１の縦断面図である。
【図３】ＬＥＤ点滅釣り用おもり１の分解斜視図である。
【図４】糸取り付けフック７の他の形状図である。
【図５】電源開閉スイッチ６の直線状針金６ａの一端を電池５表面にハンダ付けで固定した状態図である。
【図６】電源開閉スイッチ６の直線状電極６ａ、フック形状電極６ｂの動作説明図である。
【図７】電源開閉スイッチ６の他の構成図である。
【図８】下部おもり２の上面に反射板１１を取り付けた外観図である。
【考案を実施するための形態】
【００１８】
以下、本考案に係るＬＥＤ点滅釣り用おもりの実施形態について図面を参照して説明する。図１は本実施形態のＬＥＤ点滅釣り用おもり１の外観斜視図、図２は縦断面図、図３は分解斜視図である。図３の分解斜視図に示すように、ＬＥＤ点滅釣り用おもり１は下方側から下部おもり２、円筒状収納部３、複数のＬＥＤ４、電池５、電源開閉スイッチ６、糸取り付けフック７を備えて構成される。
【００１９】
下部おもり２は金属製おもりであり、上面の円形部より下方に向けて突出した形状にされている。金属としては例えば、鉛を使用する。上面の円形部周縁部には、円筒状収納部３が嵌まる切欠き２ａが設けてある。
【００２０】
円筒状収納部３は下部おもり２の円形上面と同じ外径を有する円筒形状で、透明樹脂で形成されている。
【００２１】
電池５は、円筒状収納部３の内径より僅かに小さい外径の円盤形状のボタン形電池で、上下面が二つの電極を構成している。
【００２２】
複数のＬＥＤ４は発光部であり、図では２本足の砲弾型ＬＥＤを４個使用した場合を示している。本実施形態で使用しているＬＥＤは、プラスチックの砲弾型内部に自己点滅回路を内蔵するタイプである。即ち、外形砲弾型の樹脂内部に発光体であるＬＥＤチップと、そのＬＥＤチップを点滅させる機能を備えたＩＣチップが内蔵されている。２本の足を通して外部より直流電源の供給を受けると、ＩＣチップの自己点滅回路が動作してＬＥＤを一定周期で点滅させる。製品バラツキにより各ＬＥＤの点滅周期は僅かに異なる。ＬＥＤは赤色、青色、黄色等の光を発光するタイプで、光軸が砲弾型の前方を向いたものを使用する。
【００２３】
４個のＬＥＤ４は同一平面上で光軸を径方向外側に向け、等間隔放射状に配置してある。全体の大きさは円筒状収納部３の内側に納まる大きさである。４個のＬＥＤ４はプラス電源入力側の４本の足同士、マイナス電源入力側の４本の足同士を繋いで並列接続されている。その二つの接続部を＋電源接続端、−電源接続端と呼ぶことにする。一方の電源接続端（＋側）は、電池４の一方の電極面（＋側）に電線４ａで接続されている。複数のＬＥＤ４は電池４の下面側に取り付けるので、電池４は一方の電極面（＋側）を下側にして取り付けてある。
【００２４】
電池４の上方の電源開閉スイッチ６は、並列接続されたＬＥＤ４の他方の電源接続端（−側）と、電池５の他方の電極面（−側）との間の電気接続を開閉するスイッチである。電源開閉スイッチ６の両端は、それぞれ電源接続端（−側）、電極面（−側）と電線４ｂ、電線５ａで接続されている。
【００２５】
糸取り付けフック７は、ＬＥＤ点滅釣り用おもり１を吊り下げる釣り糸を取り付ける部分である。円筒状収納部３の外径に等しい長さの針金７ｂの中央部に、逆Ｕ字形フック７ａを溶接取り付けして無端環状フック形状にしたものである。なお、このように針金７ａに逆Ｕ字形フック７ａを溶接して形成するのに代えて、図４に示すように１本の針金を曲げて同じようなフック形状にしたものを使用してもよい。
【００２６】
次に、このような部品を用いて図１、図２に示したＬＥＤ点滅釣り用おもり１を組み立てる手順について説明する。円筒状収納部３の内側上部に電池５を水平配置し、その下面側に等間隔放射状にした複数のＬＥＤ４を配置する。ＬＥＤ４の他方の電源接続端（−側）と電池５の他方の電極面（−側）から電源開閉スイッチ６に繋がる２本の線４ｂ、５ａを上方に引き上げた状態とする。この状態にて電池５の上面側、電池５の側面と円筒状収納部３の内面との空隙、及び電池５の下面と複数のＬＥＤ４の上面との空隙に透明樹脂１０を注入し、固化させて電池５と複数のＬＥＤ４を円筒状収納部３の内側に固定する。
【００２７】
なお、電池５の他方の電極面（−側）と電源開閉スイッチ６を構成する片側の直線状針金６ａとの電気的接続は電線５ａで行なうのに代えて、図５に示すように電源開閉スイッチ６の直線状針金６ａの一端を電池５表面にハンダ付け又は溶接で固定するようにしてもよい。図１、図２はこのような構成の場合を描いてある。直線状針金６ａは電源開閉スイッチ６の片側の直線状電極６ａとして機能する。
【００２８】
次に、このようにして電池５と複数のＬＥＤ４を取り付けた円筒状収納体３を下部おもり２の切欠き部２ａに嵌めた状態にし、両者を接着剤又は樹脂にて結合させる。
【００２９】
続いて電池５の上面側の固化した透明樹脂層上に釣り用おもり１全体を釣り糸で吊り下げるための無端環状フック形状の糸取り付けフック７と、電源開閉スイッチ６を載置した状態にし：それらを接着剤又は樹脂にて透明樹脂層上に固定する。これによりＬＥＤ点滅釣り用おもり１が完成する。
【００３０】
電源開閉スイッチ６は図３に示したように２本の針金で構成し、一方の電極となる一方の針金は釣り針を逆さにしたフック形状電極６ｂとし、他方の電極となる他方の針金は直線状電極６ａとするとよい。直線状電極６ａについいては、先にその一端を電池５表面にハンダ付け又は溶接で固定するようにしてもよいことを述べたが、フック形状電極６ｂもその下部を糸取り付けフック７にハンダ付け又は溶接で固定してもよい。図１、図２はそのような構成の場合が描いてある。この場合、複数のＬＥＤ４の他方の電源接続端（−側）からの電線４ｂは糸取り付けフック７にハンダ付け又は溶接で接続する。
【００３１】
次に、電源開閉スイッチ６の動作について説明する。電源開閉スイッチ６は、前述のように直線状電極６ａとフック形状電極６ｂとで構成される。それらの電極の基端部は、直線状電極６ａについては電池５へのハンダ付け又は溶接で、フック形状電極６ｂについては糸取り付けフック７にハンダ付け又は溶接で固定されている。ハンダ付け又は溶接で固定する代わりに樹脂で抜けないように固定してもよい。直線状電極６ａには弾性のある金属線が使用してあり、フック形状電極６ｂには曲げ強度の高い金属線が使用してある。図６の（１）は直線状電極６ａをフック形状電極６ｂに引っかけた状態であり、電源開閉スイッチ６はＯＮ状態になる。直線状電極６ａの弾性により、この状態が維持される。図６の（２）は直線状電極６ａをフック形状電極６ｂから外した状態であり、電源開閉スイッチ６はＯＦＦ状態になる。直線状電極６ａの弾性により、この外れた状態が維持される。電源開閉スイッチ６はこのような構造のものに限らず、他の構造のものを採用してもよい。
【００３２】
図７は、電源開閉スイッチ６の他の構成例である。２本の直線状針金電極６ａ、６ｂを接近した状態に設置したものである。釣り用おもり１が水中に投入されると、２本の針金状電極６ａ、６ｂ間に水が介在して２本の針金状電極６ａ、６ｂ間が導通してＯＮ状態になる。水中から引き上げると２本の針金状電極６ａ、６ｂ間は非導通となるＯＦＦ状態になる。
【００３３】
図８は、下部おもり２の上面に光を反射する反射板１１を取り付けたものである。複数のＬＥＤ４の発する光には斜め下方に向かう光もある。このような反射板１１を取り付けておけば、斜め下方に放射された光を円筒状収納体３の外側に向かわせ、有効に活用できる利点がある。
【符号の説明】
【００３４】
図面中、１はＬＥＤ点滅釣り用おもり、２は下部おもり、２ａは切欠き、３は円筒状収納部、４は複数のＬＥＤ、４ａ、４ｂ、５ａは電線、５は電池、６は電源開閉スイッチ、６ａは直線状電極、６ｂはフック形状電極、７は糸取り付けフック、７ｂは直線状針金、１０は透明樹脂、１１は反射板を示す。
【図１】
0003212378.tif 000003
【図２】
0003212378.tif 000004
【図３】
0003212378.tif 000005
【図４】
0003212378.tif 000006
【図５】
0003212378.tif 000007
【図６】
0003212378.tif 000008
【図７】
0003212378.tif 000009
【図８】
0003212378.tif 000010